(57)【要約】【課題】  一つのスイッチで複数の機能を選択する場合、押し時間を変えることで任意の機能を選択することができる。しかし、この一つのスイッチでは、各機能に応じた押し時間を操作者が覚えておく必要があり、また、スイッチを長時間押し続ける作業が大変という問題があった。【解決手段】  本発明は、上記問題を解決する為に、一つのスイッチで選択できる機能を少なくするとともに、通常使用時や施工時に応じて操作するスイッチを分ける、スイッチの操作を長押と一押に分ける等で、操作を分かり易くした空気調和機を提供するものである。【選択図】  図３
2013122327.tif 000002
【特許請求の範囲】
【請求項１】
空気調和機本体と、前記空気調和機本体の運転操作を電波式無線で行う電波式無線リモコンとを備えた空気調和機であって、
前記空気調和機本体は、操作部を有し、前記操作部には第一スイッチと第二スイッチを備え、
前記第一スイッチは、空気調和機の施工時に操作するためのスイッチであり、
前記第二スイッチは、空気調和機の通常運転時に操作するためのスイッチであることを特徴とする空気調和機。
【請求項２】
空気調和機本体と、前記空気調和機本体の運転操作を電波式無線で行う電波式無線リモコンとを備えた空気調和機であって、
前記空気調和機本体は、操作部を有し、前記操作部には第一スイッチと第二スイッチを備え、
前記第一スイッチは、空気調和機の施工時に操作するためのスイッチであり、ペアリングと強制運転モードを選択できるスイッチであり、
前記第二スイッチは、空気調和機の通常運転時に操作するためのスイッチであり、自動運転モードとフィルタリセットを選択できるスイッチであることを特徴とする空気調和機。
【請求項３】
空気調和機本体と、前記空気調和機本体の運転操作を電波式無線で行う電波式無線リモコンとを備えた空気調和機であって、
前記空気調和機本体は、操作部を有し、前記操作部には第一スイッチと第二スイッチを備え、
前記第一スイッチは、ペアリングを選択できるスイッチであり、
前記第二スイッチは、強制運転モードと自動運転モードとフィルタリセットを選択できるスイッチであることを特徴とする空気調和機。
【請求項４】
空気調和機本体と、前記空気調和機本体の運転操作を電波式無線で行う電波式無線リモコンとを備えた空気調和機であって、
前記空気調和機本体は、操作部を有し、前記操作部には二つ以上のスイッチを備え、
前記スイッチは、空気調和機の施工時に操作する機能と空気調和機の通常運転時に操作する機能を選択でき、
空気調和機の施工時に操作する機能は、空気調和機の通常運転時に操作する機能よりもスイッチの押時間を長く設定する、または、スイッチの押回数を多く設定することを特徴とする空気調和機。
【請求項５】
空気調和機本体と、前記空気調和機本体の運転操作を電波式無線で行う電波式無線リモコンとを備えた空気調和機であって、
前記空気調和機本体は、操作部を有し、前記操作部には第一スイッチと第二スイッチを備え、
前記第一スイッチは、ペアリングを少なくとも選択でき、
前記第二スイッチは、強制運転モードを少なくとも選択でき、
自動運転モードは第一スイッチまたは第二スイッチの一方に、フィルタリセットは第一スイッチまたは第二スイッチの他方にそれぞれ割り当てられ、
前記ペアリングと前記強制運転モードは、前記自動運転モードと前記フィルタリセットよりもスイッチの押時間を長く設定する、または、スイッチの押回数を多く設定することを特徴とする空気調和機。
【発明の詳細な説明】
【技術分野】
【０００１】
本発明は、空気調和機の本体に設け、手動で操作するスイッチに関するものである。
【背景技術】
【０００２】
従来の空気調和機のスイッチとして、特許文献１に示すようなものがある。この特許文献１に開示されている空気調和機は、本体に設けられた１つのスイッチで、リモコンが無い場合に使用者が空気調和機を自動運転させるための自動運転モードと、本体を取外す前に設置業者が室内機にある冷媒を室外機に集めるための強制運転モードとを選択できる。自動運転モードを選択する場合はスイッチを短く押す（いわゆる一押）。強制運転モードを選択する場合はスイッチを長く押す（いわゆる長押）。このように、スイッチの押す時間を変えることで、自動運転モードと強制運転モードを二者択一で選択することができる。
【０００３】
現在の空気調和機は、主にリモコンで操作されるが、機能を増加したため、本体にも自動運転モードと強制運転モード以外に操作部またはスイッチを設ける必要のある場合がある。例えば、空気調和機の稼働時間を記憶しているメモリをリセットするフィルタリセットや、電波式無線リモコンと空気調和機が通信できるように設定するペアリングなどがある。
【０００４】
スイッチを共有化させるために、一つのスイッチで、自動運転モード、強制運転モード、フィルタリセット、ペアリングを選択させている空気調和機もある。この空気調和機は、一つのスイッチで４つの機能から任意の機能を選択させるために、各機能を選択するためのスイッチの押し時間を変えている。例えば、フィルタリセットは１押（１秒間）、自動運転モードは３秒間、強制運転モードは１０秒間、ペアリングは２５秒間、スイッチを押すことで各機能を選択できるように設定されている。
【０００５】
【特許文献１】特開平6-111670号公報
【発明の概要】
【発明が解決しようとする課題】
【０００６】
上記のように、一つのスイッチに４通りの押し方を設定しているため、スイッチの押し方が複雑となり、操作者が誤った操作をする虞があった。例えば、操作者がフィルタリセットを選択するつもりが、スイッチを３秒押してしまい、自動運転モードが選択されてしまうことがある。また、操作者がペアリングを選択するつもりが、２５秒よりも早くスイッチを離してしまい、強制運転モードが選択されてしまうこともあった。
【０００７】
そこで、本発明は、本体に設けられたスイッチで多くの機能を操作させる際に、操作者が誤った操作をしないように、スイッチの押し方の区別がつき易くすることを目的とする。具体的には、操作する状況に応じてスイッチを分ける、誤操作されては困る機能は他の機能よりもスイッチの押し方を変える（押時間を長くする、押回数を多くする等）ことで選択されにくくする等である。
【課題を解決するための手段】
【０００８】
上記目的を達成する為に、本発明は、空気調和機本体と、前記空気調和機本体の運転操作を電波式無線で行う電波式無線リモコンとを備えた空気調和機であって、前記空気調和機本体は、操作部を有し、前記操作部には第一スイッチと第二スイッチを備え、前記第一スイッチは、空気調和機の施工時に操作するためのスイッチであり、前記第二スイッチは、空気調和機の通常運転時に操作するためのスイッチであることを特徴とする。
【０００９】
また、空気調和機本体と、前記空気調和機本体の運転操作を電波式無線で行う電波式無線リモコンとを備えた空気調和機であって、前記空気調和機本体は、操作部を有し、前記操作部には第一スイッチと第二スイッチを備え、前記第一スイッチは、空気調和機の施工時に操作するためのスイッチであり、ペアリングと強制運転モードを選択できるスイッチであり、前記第二スイッチは、空気調和機の通常運転時に操作するためのスイッチであり、自動運転モードとフィルタリセットを選択できるスイッチであることを特徴とする。
【００１０】
また、空気調和機本体と、前記空気調和機本体の運転操作を電波式無線で行う電波式無線リモコンとを備えた空気調和機であって、前記空気調和機本体は、操作部を有し、前記操作部には第一スイッチと第二スイッチを備え、前記第一スイッチは、ペアリングを選択できるスイッチであり、前記第二スイッチは、強制運転モードと自動運転モードとフィルタリセットを選択できるスイッチであることを特徴とする。
【００１１】
また、  空気調和機本体と、前記空気調和機本体の運転操作を電波式無線で行う電波式無線リモコンとを備えた空気調和機であって、前記空気調和機本体は、操作部を有し、前記操作部には二つ以上のスイッチを備え、前記スイッチは、空気調和機の施工時に操作する機能と空気調和機の通常運転時に操作する機能を選択でき、空気調和機の施工時に操作する機能は、空気調和機の通常運転時に操作する機能よりもスイッチの押時間を長く設定する、または、スイッチの押回数を多く設定することを特徴とする。
【００１２】
また、空気調和機本体と、前記空気調和機本体の運転操作を電波式無線で行う電波式無線リモコンとを備えた空気調和機であって、前記空気調和機本体は、操作部を有し、前記操作部には第一スイッチと第二スイッチを備え、前記第一スイッチは、ペアリングを少なくとも選択でき、前記第二スイッチは、強制運転モードを少なくとも選択でき、自動運転モードは第一スイッチまたは第二スイッチの一方に、フィルタリセットは第一スイッチまたは第二スイッチの他方にそれぞれ割り当てられ、前記ペアリングと前記強制運転モードは、前記自動運転モードと前記フィルタリセットよりもスイッチの押時間を長く設定する、または、スイッチの押回数を多く設定することを特徴とする。
【発明の効果】
【００１３】
本発明は、空気調和機本体に設けた、スイッチで設定される機能を２つ以上のスイッチを用いて、スイッチの押し方の区別がつき易くすることで、操作が分かり易くなり、操作者の誤操作を減らすことができる。例えば、自動運転モードとペアリングを別のスイッチに分ける、自動運転モードと強制運転モードはペアリングとフィルタリセットよりも選択をしにくくすることで、誤操作を減らすことができる。
【図面の簡単な説明】
【００１４】
【図１】本発明における空気調和機の運転停止時の斜視図である。
【図２】本発明における空気調和機の運転時の斜視図である。
【図３】本発明における空気調和機の運転停止時に、前面パネルと吸込グリルを開口した斜視図である。
【図４】本発明における実施例１の第一スイッチの操作方法を示したフローチャート図である。
【図５】本発明における実施例１の第二スイッチの操作方法を示したフローチャート図である。
【図６】本発明における実施例２の第一スイッチの操作方法を示したフローチャート図である。
【図７】本発明における実施例２の第二スイッチの操作方法を示したフローチャート図である。
【図８】本発明における実施例３の第一スイッチの操作方法を示したフローチャート図である。
【図９】本発明における実施例３の第二スイッチの操作方法を示したフローチャート図である。
【発明を実施するための形態】
【００１５】
以下に、本発明の実施の形態における空気調和機の構成について、図１ないし図３を基に説明する。
【００１６】
本発明の空気調和機は、空気調和機本体１と電波式無線リモコン８から構成されている。空気調和機本体１は上面および前面に吸込口１１、本体の下部に吹出口３を備え、吸込口１１と吹出口３をつなぐ空気通路に室内熱交換器とファンが配置され、ファンにより吸込口１１から吸込まれた空気が室内熱交換器で冷媒と熱交換され、吹出口３から室内に吹出される。電波式無線リモコン８は、指向性が無く、電波の届く範囲であればどこからでも空気調和機本体１に電波式無線信号による運転指示を行える。
【００１７】
本発明の空気調和機の運転停止時は、図１に示すとおり、空気調和機本体１の吸込口１１と吹出口３の前面には、開口可能な前面パネル２が備えられ、運転停止時は、前面パネル２は閉じられている。
【００１８】
空気調和機の運転時は、図２に示すとおり、前面パネル２を前方に移動させ吸込口１１を開口させることで、吸込口１１から室内空気を空気調和機本体１内に取込むことができ、吹出口３の風向板（３ａ、３ｂ）が回動することで、調和空気が室内に吹出される。
【００１９】
本発明の空気調和機のフィルタメンテナンスは、図３に示す状態で行う。フィルタ清掃ユニット５はフィルタに付着したホコリなどを取除く装置であり、フィルタメンテナンス時は、フィルタ清掃ユニット５が着脱できるように、前面パネル２と吸込グリル４は各々の上端にある図示しない回転軸を中心に前方に回動して固定される。運転停止時と運転時には視認できないが、前面パネル２と吸込グリル４が各々の上端にある図示しない回転軸を中心に前方に回動して固定された状態では、吹出口３の上部にパネルカバー１０が視認できる。パネルカバー１０には、本体側操作部７と運転情報を知らせるスピーカー９が配置され、本体側操作部７とスピーカー９の間に電波式無線リモコン８の電波を受信するリモコン受信部１３が設けられている。本体側操作部７には、第一スイッチ７１と第二スイッチ７２が備えられ、また、図示しないが第一スイッチ７１と第二スイッチ７２の操作方法が印刷されたシールが貼付されている。このシールに操作方法を記載することで、操作者が操作方法を覚える必要が無くなる。
【００２０】
第一スイッチ７１もしくは第二スイッチ７２を操作することで、ペアリング、強制運転モード、自動運転モード、フィルタリセットの各機能を選択することができる。以下に、各機能について説明する。
【００２１】
ペアリングは、電波式無線リモコン８が特定の空気調和機本体１を操作できるように設定するための機能である。電波式無線リモコン８から送信された電波式無線信号は指向性が無く、電波式無線リモコン８周囲に伝搬するため、空気調和機本体１は自身向けではない電波式無線リモコン８から送信された電波式無線信号を受信し誤動作を起こすことがある。これを防ぐために、空気調和機内にある記憶部に特定の電波式無線リモコン８のＩＤを登録させ、特定の電波式無線リモコン８の電波式無線信号だけを受信するように設定するものである。このペアリングは施工時に例えば設置業者が操作する。
【００２２】
強制運転モードは、施工時に室内機を取り外すために、冷媒を室外機内に収容させる機能であり、例えば設置業者が操作する。
【００２３】
自動運転モードは、電波式無線リモコン８が無い時に空気調和機を自動運転させる機能である。これは、例えばユーザによる通常運転時に操作する。
【００２４】
フィルタリセットは、空気調和機本体１内に記憶されている空気調和機の積算運転時間をゼロにリセットするための機能である。積算運転時間が予め設定された時間以上になると、ユーザにフィルタ清掃ユニット５内のダストボックスを清掃するように警告が表示部１２に表示される。ユーザがダストボックスを清掃した後、フィルタリセット機能を選択することで運転時間がゼロに戻される。
【００２５】
ここで、施工時とは例えば設置業者が空気調和機を取り付けたり、取り外したりする工事をする時を意味し、通常運転時とは空気調和機の取り付け工事後、ユーザが冷房、暖房運転など空気調和機を使用する時を意味している。
【００２６】
次に、第一スイッチ７１と第二スイッチ７２の操作方法について、図４ないし図７を基に説明する。
【００２７】
（実施例１）
第一スイッチ７１がペアリングと強制運転モードを選択できるスイッチであり、第二スイッチ７２がフィルタリセットと自動運転モードを選択できるスイッチである場合を実施例１として、図４と図５を基に以下に説明する。
【００２８】
第一スイッチ７１もしくは第二スイッチ７２を押す時、空気調和機は運転停止されている。
【００２９】
第一スイッチ７１の押し方に基づいて、制御の流れを図４に示すフローチャートに沿って説明する。第一スイッチ７１が押されると（Ｓ１０２−Ｙｅｓ）、空気調和機本体１内にある電装基板の制御部にあるタイマーＴ１はカウントを開始する（Ｓ１０３）。そして、操作者が第一スイッチ７１を離されるまでカウントを続ける（Ｓ１０４−Ｎｏ）。第一スイッチ７１が離された時（Ｓ１０４−Ｙｅｓ）、タイマーＴ１のカウントを停止する（Ｓ１０５）。第一スイッチ７１が離された時のタイマーＴ１のカウントが１０秒以上であるか否かを確認する（Ｓ１０６）。１０秒以上である場合（Ｓ１０６−Ｙｅｓ）はペアリングを開始し（Ｓ１０７）、１０秒未満の場合（Ｓ１０６−Ｎｏ）はタイマーＴ１が１秒以上であるか否かを確認する（Ｓ１０９）。以下、分岐後の制御の流れに分けて説明する。
【００３０】
空気調和機がペアリングを開始する（Ｓ１０７）と、空気調和機本体１がペアリングに関連する電波式無線信号を受信可能な状態になる。この時、電波式無線リモコン８がペアリングに関連する電波式無線信号を送信すると、空気調和機本体１と電波式無線リモコン８が通信を開始し、空気調和機本体１内にある記憶部に電波式無線リモコン８のＩＤが登録される。電波式無線リモコン８のＩＤが登録されることによって、ペアリングが完了し、空気調和機本体１と電波式無線リモコン８は通信を終了する（Ｓ１０８）。終了後、タイマーＴ１はリセットされる（Ｓ１０１）。この作業により、電波式無線リモコン８で空気調和機本体１を操作することが可能になる。
【００３１】
タイマーＴ１が１秒以上であるか否かを確認し（Ｓ１０９）、１秒以上であった場合（Ｓ１０９−Ｙｅｓ）は強制運転モードを開始し（Ｓ１１０）、１秒未満の場合（Ｓ１０９−Ｎｏ）は誤動作（チャタリングや操作する意思なくスイッチに触れた等）と判断して何も行わず、タイマーＴ１をリセットする（Ｓ１０１）。
【００３２】
空気調和機が強制運転モードを開始する（Ｓ１１０）と、再度第一スイッチ７１が押されるまで強制運転を継続する（Ｓ１１１−Ｎｏ）。第一スイッチ７１が押されると（Ｓ１１１−Ｙｅｓ）、強制運転を停止し（Ｓ１１２）、タイマーＴ１をリセットする（Ｓ１０１）。
【００３３】
第二スイッチ７２の押し方に基づいて、制御の流れを図５に示すフローチャートに沿って説明する。第二スイッチ７２が押されると（Ｓ２０２−Ｙｅｓ）、空気調和機本体１内にある電装基板の制御部にあるタイマーＴ２はカウントを開始する（Ｓ２０３）。そして、操作者が第二スイッチ７２を離されるまでカウントを続ける（Ｓ２０４−Ｎｏ）。第二スイッチ７２が離された時（Ｓ２０４−Ｙｅｓ）、タイマーＴ２のカウントを停止する（Ｓ２０５）。第二スイッチ７２が離された時のタイマーＴ２のカウントが３秒以上であるか否かを確認し（Ｓ２０６）、３秒以上である場合（Ｓ２０６−Ｙｅｓ）は、自動運転モードを開始し（Ｓ２０７）、３秒未満の場合（Ｓ２０６−Ｎｏ）はタイマーＴ２が１秒以上であるか否かを確認する（Ｓ２１０）。以下、分岐後の制御の流れに分けて説明する。
【００３４】
空気調和機が自動運転モードを開始すると（Ｓ２０７）、再度第二スイッチ７２が押されるまで自動運転モードを継続する（Ｓ２０８−Ｎｏ）。第二スイッチ７２が押されると（Ｓ２０８−Ｙｅｓ）、自動運転モードを停止し（Ｓ２０９）、タイマーＴ２をリセットする（Ｓ２０１）。
【００３５】
タイマーＴ２が１秒以上であるか否かを確認し（Ｓ２１０）、１秒以上であった場合（Ｓ２１０−Ｙｅｓ）はフィルタリセット（Ｓ２１１）、つまり積算運転時間をリセットし、１秒未満の場合（Ｓ２１０−Ｎｏ）は誤動作（チャタリングや操作する意思なくスイッチに触れた等）と判断して何も行わず、タイマーＴ２をリセットする（Ｓ２０１）。
【００３６】
フィルタリセット（Ｓ２１１）、つまり積算運転時間のリセットは、空気調和機本体１内に記憶されている空気調和機の積算運転時間がゼロにリセットされ、タイマーＴ２をリセットする（Ｓ２０１）。
【００３７】
実施例１は、第一スイッチ７１は施工時に設置業者が操作するスイッチであり、第二スイッチ７２は通常使用時にユーザが操作するスイッチとに分けられているため、ユーザが誤ってペアリングや強制運転モードを選択する誤操作を減らすことができる。また、各スイッチの押し時間に長短を設けることでも誤操作を減らすことができる。さらに、ペアリングの押し時間は１０秒であるのに対し、自動運転モードの押し時間は３秒であることで、ユーザが誤って第一スイッチ７１を操作してもペアリングが選択されにくい。
【００３８】
（実施例２）
第一スイッチ７１がペアリングを選択できるスイッチであり、第二スイッチ７２がフィルタリセットと自動運転と強制運転を選択できるスイッチである場合を実施例２として、図６と図７を基に以下に説明する。
【００３９】
第一スイッチ７１の押し方に基づいて、制御の流れを図６に示すフローチャートに沿って説明する。第一スイッチ７１が押されると（Ｓ３０２−Ｙｅｓ）、空気調和機本体１内にある電装基板の制御部にあるタイマーＴ１はカウントを開始する（Ｓ３０３）。そして、操作者が第一スイッチ７１を離されるまでカウントを続ける（Ｓ３０４−Ｎｏ）。第一スイッチ７１が離された時（Ｓ３０４−Ｙｅｓ）、タイマーＴ１のカウントを停止する（Ｓ３０５）。第一スイッチ７１が離された時のタイマーＴ１のカウントが１０秒以上であるか否かを確認し（Ｓ３０６）、１０秒以上であった場合（Ｓ３０６−Ｙｅｓ）はペアリングを開始し（Ｓ３０７）、１０秒未満の場合（Ｓ３０６−Ｎｏ）はタイマーＴ１をリセットする（Ｓ３０１）。ペアリングの開始（Ｓ３０７）以降については実施例１と同様である。
【００４０】
第二スイッチ７２の押し方に基づいて、制御の流れを図７に示すフローチャートに沿って説明する。第二スイッチ７２が押されると（Ｓ４０２−Ｙｅｓ）、空気調和機本体１内にある電装基板の制御部にあるタイマーＴ２はカウントを開始する（Ｓ４０３）。そして、操作者が第二スイッチ７２を離されるまでカウントを続ける（Ｓ４０４−Ｎｏ）。第二スイッチ７２が離された時（Ｓ４０４−Ｙｅｓ）、タイマーＴ２のカウントを停止する（Ｓ４０５）。第二スイッチ７２が離された時のタイマーＴ２のカウントが１０秒以上であるか否かを確認し（Ｓ４０６）、１０秒以上である場合（Ｓ４０６−Ｙｅｓ）は、強制運転モードを開始し（Ｓ４０７）、１０秒未満の場合（Ｓ４０６−Ｎｏ）はタイマーＴ２が３秒以上であるか否かを確認する（Ｓ４１０）。強制運転モードの開始は実施例１と同様である。
【００４１】
タイマーＴ２が３秒以上であるか否かを確認し（Ｓ４１０）、３秒以上である場合（Ｓ４１０−Ｙｅｓ）は自動運転モードを開始し（Ｓ４１１）、３秒未満の場合（Ｓ４１０−Ｎｏ）はタイマーＴ２が１秒以上であるか否かを確認する（Ｓ４１４）。自動運転モードの開始は実施例１と同様である。
【００４２】
タイマーＴ２が１秒以上であるか否かを確認し（Ｓ４１４）、１秒以上である場合（Ｓ４１４−Ｙｅｓ）はフィルタリセット（Ｓ４１５）、つまり積算運転時間をリセットし、１秒未満の場合（Ｓ４１４−Ｎｏ）は誤動作（チャタリングや操作する意思なくスイッチに触れた等）と判断して何も行わず、タイマーＴ２をリセットする（Ｓ４０１）。フィルタリセット（Ｓ４１５）、つまり積算運転時間をリセットは実施例１と同様である。
【００４３】
実施例２は、ペアリングを第一スイッチ７１、他の機能であるフィルタリセット、自動運転、強制運転を第二のスイッチにすることで、ユーザが誤ってペアリングを操作することを少なくしている。また、ペアリングを他の機能を有するスイッチとは異なるスイッチにしただけでなく、押し時間を１０秒と長く設定することで、ユーザが誤って第一スイッチ７１を押しても選択されにくくした。
【００４４】
（実施例３）
第一スイッチ７１が自動運転とペアリングを選択できるスイッチであり、第二スイッチ７２がフィルタリセットと強制運転を選択できるスイッチである場合を実施例３として、図８と図９を基に以下に説明する。
【００４５】
第一スイッチ７１の押し方に基づいて、制御の流れを図８に示すフローチャートに沿って説明する。第一スイッチ７１が押されると（Ｓ５０２−Ｙｅｓ）、空気調和機本体１内にある電装基板の制御部にあるタイマーＴ１はカウントを開始する（Ｓ５０３）。そして、操作者が第一スイッチ７１を離されるまでカウントを続ける（Ｓ５０４−Ｎｏ）。第一スイッチ７１が離された時（Ｓ５０４−Ｙｅｓ）、タイマーＴ１のカウントを停止する（Ｓ５０５）。第一スイッチ７１が離された時のタイマーＴ１のカウントが１０秒以上であるか否かを確認する（Ｓ５０６）。１０秒以上である場合（Ｓ５０６−Ｙｅｓ）はペアリングを開始し（Ｓ５０７）、１０秒未満の場合（Ｓ５０６−Ｎｏ）はタイマーＴ１が１秒以上であるか否かを確認する（Ｓ５０９）。ペアリングも実施例１と同様である。
【００４６】
タイマーＴ１が１秒以上であるか否かを確認し（Ｓ５０９）、１秒以上であった場合（Ｓ５０９−Ｙｅｓ）は自動運転モードを開始し（Ｓ５１０）、１秒未満の場合（Ｓ５０９−Ｎｏ）は誤動作（チャタリングや操作する意思なくスイッチに触れた等）と判断して何も行わず、タイマーＴ１をリセットする（Ｓ５０１）。自動運転モードは実施例１と同様である。
【００４７】
第二スイッチ７２の押し方に基づいて、制御の流れを図９に示すフローチャートに沿って説明する。第二スイッチ７２が押されると（Ｓ６０２−Ｙｅｓ）、空気調和機本体１内にある電装基板の制御部にあるタイマーＴ２はカウントを開始する（Ｓ６０３）。そして、操作者が第二スイッチ７２を離されるまでカウントを続ける（Ｓ６０４−Ｎｏ）。第二スイッチ７２が離された時（Ｓ６０４−Ｙｅｓ）、タイマーＴ２のカウントを停止する（Ｓ６０５）。第二スイッチ７２が離された時のタイマーＴ２のカウントが１０秒以上であるか否かを確認し（Ｓ６０６）、１０秒以上である場合（Ｓ６０６−Ｙｅｓ）は強制運転モードを開始し（Ｓ６０７）、１０秒未満の場合（Ｓ６０６−Ｎｏ）はタイマーＴ２が１秒以上であるか否かを確認する（Ｓ６１０）。強制運転モードの開始も実施例１と同様である。
【００４８】
タイマーＴ２が１秒以上であるか否かを確認し（Ｓ６１０）、１秒以上であった場合（Ｓ６１０−Ｙｅｓ）はフィルタリセット（Ｓ６１１）、つまり積算運転時間をリセットし、１秒未満の場合（Ｓ６１０−Ｎｏ）は誤動作（チャタリングや操作する意思なくスイッチに触れた等）と判断して何も行わず、タイマーＴ２をリセットする（Ｓ６０１）。フィルタリセット（Ｓ６１１）、つまり積算運転時間をリセットも実施例１と同様である。
【００４９】
実施例３は、操作する頻度の高いフィルタリセットおよび自動運転モードはスイッチの押し時間を短くし、操作する頻度が低いペアリングと強制運転モードはスイッチの押し時間を長くすることで、誤操作を少なくしている。
【００５０】
以上より、本発明の空気調和機は第一スイッチ７１もしくは第二スイッチ７２を操作することで、フィルタリセット、自動運転、強制運転、ペアリングを任意に選択することができる。
【００５１】
なお、本発明の実施例では各機能に応じて、スイッチの押し時間を設定しているが、この押し時間に限定したものではなく、設計仕様に応じて押し時間を適宜変更しても良い。また、スイッチの押し時間を設定するのではなく、押回数を設定することで、誤操作を少なくしても良い。
【符号の説明】
【００５２】
１  空気調和機本体
２  前面パネル
３  吹出口
３ａ、３ｂ  風向板
４  吸込グリル
５  フィルタ清掃ユニット
７  本体側操作部
７１  第一スイッチ
７２  第二スイッチ
８  電波式無線リモコン
９  スピーカー
１０  パネルカバー
１１  吸込口
１２  表示部
１３  リモコン受信部
【図１】
2013122327.tif 000003
【図２】
2013122327.tif 000004
【図３】
2013122327.tif 000005
【図４】
2013122327.tif 000006
【図５】
2013122327.tif 000007
【図６】
2013122327.tif 000008
【図７】
2013122327.tif 000009
【図８】
2013122327.tif 000010
【図９】
2013122327.tif 000011